(57)【要約】【課題】主に自動車の空調や音響機器等の操作に用いられる表示装置に関し、表示素子の表示が見易く、良好な照光が可能なものを提供することを目的とする。【解決手段】ケース１上面に重ねて載置された拡散シート１２上面、または表示素子１３下面に、凹凸部１２Ａや１３Ｂを形成することによって、表示素子１３と拡散シート１２の間には隙間が形成され、湿気がこの間に侵入しても、水滴となって表示素子１３と拡散シート１２の間に広がることがないため、表示素子１３が斑に照光されることはなく、均一な明るさで照光が行われ、表示素子１３の表示が見易く、良好な照光が可能な表示装置を得ることができる。【選択図】図１
2011075822.tif 000002
【特許請求の範囲】
【請求項１】
上下面開口で略箱型のケースと、このケース上面に載置された拡散シートと、この拡散シート上面に載置された表示素子と、上記ケース下方に配置された発光素子からなり、上記拡散シート上面または上記表示素子下面に凹凸部を形成した表示装置。
【発明の詳細な説明】
【技術分野】
【０００１】
本発明は、主に自動車の空調や音響機器等に用いられる表示装置に関するものである。
【背景技術】
【０００２】
近年、車室内のフロントパネル部に様々な表示装置を配置し、これによって車両に搭載されたエアコンやオーディオ等の、各種電子機器の機能表示を行うものが増えている。
【０００３】
このような表示装置について、図４及び図５を用いて説明する。
【０００４】
図４は従来の表示装置の断面図、図５は同分解斜視図であり、同図において、１は上下面開口で略箱型の絶縁樹脂製のケース、２はフィルム状で乳白色の拡散シート、３は液晶表示素子等の表示素子で、ケース１上面に拡散シート２と、表示面を上方に向けた表示素子３が重ねて載置されている。
【０００５】
また、４は上下面に複数の配線パターン（図示せず）が形成された配線基板で、ケース１下面に装着され、上面には発光ダイオード等の複数の発光素子５が、発光面を上方に向けて実装されている。
【０００６】
さらに、表示素子３から下方に延出した複数の端子３Ａ先端が、半田付け等によって配線基板４の配線パターンに接続されて、表示装置が構成されている。
【０００７】
そして、このような表示装置が表示素子３の表示面が手前側になるようにして、車室前方のフロントパネル部に装着されると共に、表示素子３や複数の発光素子５がコネクタやリード線（図示せず）等を介して、エアコンやオーディオ等の各種電子機器を制御する自動車の電子回路に電気的に接続される。
【０００８】
以上の構成において、フロントパネル部やステアリングホイール近傍等に別途設けられたスイッチ（図示せず）を操作すると、例えばエアコンの温度やオーディオの音量等が切換わると共に、これに合わせて電子回路が表示素子３に表示された温度や音量等の表示を切換える。
【０００９】
また、電子回路が複数の発光素子５を発光させ、この光が拡散シート２で均等に拡散され、表示素子３を背面から照光することで、表示素子３に表示された温度や音量、あるいは時刻等の数値や記号等を見易く視認することができるようになっている。
【００１０】
つまり、別途設けられたスイッチの操作に応じて、電子回路が各種電子機器や表示素子３の表示を切換えると共に、表示素子３下方に配置された複数の発光素子５を発光させ、この光を表示素子３下面の拡散シート２で均等に拡散することによって、表示素子３の表示が明るく見易く照光されるように構成されているものであった。
【００１１】
なお、この出願の発明に関連する先行技術文献情報としては、例えば、特許文献１が知られている。
【先行技術文献】
【特許文献】
【００１２】
【特許文献１】特開２００９−２６５１３号公報
【発明の概要】
【発明が解決しようとする課題】
【００１３】
しかしながら、上記従来の表示装置においては、表示素子３とこの下面の拡散シート２がほぼ密着して、ケース１上面に重ねて載置されており、特に温度や湿度の変化の大きな車両内においては、湿気がこの間に侵入し、これが水滴となって表示素子３と拡散シート２の間に広がった場合、濡れた箇所と乾いた箇所では光の屈折率が異なるものとなるため、表示素子３が斑に照光され、表示が見づらいものとなってしまう場合があるという課題があった。
【００１４】
本発明は、このような従来の課題を解決するものであり、表示素子の表示が見易く、良好な照光が可能な表示装置を提供することを目的とする。
【課題を解決するための手段】
【００１５】
上記目的を達成するために本発明は、ケース上面に重ねて載置された拡散シート上面、または表示素子下面に凹凸部を形成して表示装置を構成したものであり、凹凸部によって表示素子と拡散シートの間には隙間が形成され、湿気がこの間に侵入しても、水滴となって表示素子と拡散シートの間に広がることがないため、表示素子が斑に照光されることはなく、均一な明るさで照光が行われ、表示素子の表示が見易く、良好な照光が可能な表示装置を得ることができるという作用を有するものである。
【発明の効果】
【００１６】
以上のように本発明によれば、表示素子の表示が見易く、良好な照光が可能な表示装置を実現することができるという有利な効果が得られる。
【図面の簡単な説明】
【００１７】
【図１】本発明の一実施の形態による表示装置の断面図
【図２】同分解斜視図
【図３】同他の実施の形態による断面図
【図４】従来の表示装置の断面図
【図５】同分解斜視図
【発明を実施するための形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態による表示装置の断面図、図２は同分解斜視図であり、同図において、１は上下面開口で略箱型のＡＢＳ等の絶縁樹脂製のケース、１２は乳白色の顔料が分散されたフィルム状でポリカーボネート等の拡散シートで、ケース１上面に拡散シート１２が載置されると共に、拡散シート１２上面には直径２〜２０μｍ前後の微細な複数の凹凸部１２Ａが形成されている。
【００２１】
そして、１３はガラス内に液晶材料が封止され、上下面にポリアセテート等の偏光板が貼付された液晶表示素子等の表示素子で、この表示素子１３が表示面を上方に向けて、拡散シート１２上面の凹凸部１２Ａ上に載置されている。
【００２２】
また、４は紙フェノールやガラス入りエポキシ等の配線基板で、上下面には銅箔等によって複数の配線パターン（図示せず）が形成されると共に、ケース１下面に装着され、上面には発光ダイオード等の複数の発光素子５が、発光面を上方に向けて実装されている。
【００２３】
さらに、表示素子１３から下方に延出した銅合金等の複数の端子１３Ａ先端が、半田付け等によって配線基板４の配線パターンに接続されて、表示装置が構成されている。
【００２４】
そして、このような表示装置が表示素子１３の表示面が手前側になるようにして、車室前方のフロントパネル部に装着されると共に、表示素子１３や複数の発光素子５がコネクタやリード線（図示せず）等を介して、エアコンやオーディオ等の各種電子機器を制御する自動車の電子回路に電気的に接続される。
【００２５】
以上の構成において、フロントパネル部やステアリングホイール近傍等に別途設けられたスイッチ（図示せず）を操作すると、例えばエアコンの温度やオーディオの音量等が切換わると共に、これに合わせて電子回路が表示素子１３に表示された温度や音量等の表示を切換える。
【００２６】
また、電子回路が複数の発光素子５を発光させ、この光が拡散シート１２で均等に拡散され、表示素子１３を背面から照光することで、表示素子１３に表示された温度や音量、あるいは時刻等の数値や記号等を見易く視認することができるようになっている。
【００２７】
つまり、別途設けられたスイッチの操作に応じて、電子回路が各種電子機器や表示素子１３の表示を切換えると共に、表示素子１３下方に配置された複数の発光素子５を発光させ、この光を表示素子１３下面の拡散シート１２で均等に拡散することによって、表示素子１３の表示が明るく見易く照光されるように構成されている。
【００２８】
そして、この時、ケース１上面に載置された拡散シート１２上面には、上記のように微細な複数の凹凸部１２Ａが形成され、この凹凸部１２Ａ上に表示素子１３が載置されているため、湿気が拡散シート１２と表示素子１３の間に侵入しても、これが水滴となって拡散シート１２と表示素子１３の間に広がり、表示素子１３が斑に照光されることのないようになっている。
【００２９】
すなわち、表示装置が特に温度や湿度の変化の大きな車両内で使用された場合にも、拡散シート１２上面の凹凸部１２Ａによって、拡散シート１２と表示素子１３の間には隙間が形成されているため、湿気がこの間に侵入しても、水滴となって表示素子と拡散シートの間に広がることはなく、表示素子１３が均一な明るさで照光され、見易く表示素子１３の表示を視認できるように構成されている。
【００３０】
なお、以上の説明では、拡散シート１２上面に凹凸部１２Ａを形成し、この上に表示素子１３を載置した構成について説明したが、図３の断面図に示すように、表示素子１３下面に凹凸部１３Ｂを形成し、この表示素子１３を拡散シート１２上に載置した構成としても、本発明の実施は可能であり、同様の効果を得ることができる。
【００３１】
このように本実施の形態によれば、ケース１上面に重ねて載置された拡散シート１２上面、または表示素子１３下面に、凹凸部１２Ａや１３Ｂを形成することによって、表示素子１３と拡散シート１２の間には隙間が形成され、湿気がこの間に侵入しても、水滴となって表示素子１３と拡散シート１２の間に広がることがないため、表示素子１３が斑に照光されることはなく、均一な明るさで照光が行われ、表示素子１３の表示が見易く、良好な照光が可能な表示装置を得ることができるものである。
【産業上の利用可能性】
【００３２】
本発明による表示装置は、表示素子の表示が見易く、良好な照光が可能なものを実現することができ、主に自動車の空調や音響機器等の表示用として有用である。
【符号の説明】
【００３３】
１  ケース
４  配線基板
５  発光素子
１２  拡散シート
１２Ａ、１３Ｂ  凹凸部
１３  表示素子
１３Ａ  端子
【図１】
2011075822.tif 000003
【図２】
2011075822.tif 000004
【図３】
2011075822.tif 000005
【図４】
2011075822.tif 000006
【図５】
2011075822.tif 000007